(57)【要約】      （修正有）【課題】椅子の背凭れから座まで連続して被せることができ、被せ易く、作業性が良く、デザインも良く、見栄えのする椅子カバーを提供する。【解決手段】椅子に被せることのできるカバー１であって、椅子の背凭れに被せる背凭れ被覆部２と椅子の座に被せる座被覆部３を備える。背凭れ被覆部２と座被覆部３は一連に形成され、座被覆部の底面に椅子の座の下部が突出する座開口部を備え、背凭れ被覆部の背面に開口部が形成され、背もたれ開口部５ａは背面の上部から座開口部まで連通して縦方向に開口する。また、背凭れ開口部５ａは開閉具６を備え、当該開閉具の開操作により背凭れ開口部を座開口部まで開くと、背凭れ被覆部２を背凭れに、座被覆部３を座の上面及び外周部に被せることができ、前記開閉具を閉操作して背凭れ開口部を閉じると、背凭れ被覆部が前記背凭れに、座被覆部が前記座に取り付けられるものである。【選択図】図２
0003177626.tif 000002
【実用新案登録請求の範囲】
【請求項１】
椅子に被せることのできるカバーであって、椅子の背凭れに背凭れを包むように被せることのできる背凭れ被覆部と、椅子の座の上面側及び底面側に被せることのできる座被覆部を備え、前記背凭れ被覆部と座被覆部は背凭れ被覆部が上、座被覆部が下になって一連に形成され、前記座被覆部の底面に椅子の座の下部が突出する座開口部を備え、前記背凭れ被覆部の背面に横方向に開閉可能な背もたれ開口部が縦方向に形成され、背もたれ開口部は前記背面の上部から前記座開口部まで連通して縦方向に開口し、当該背凭れ開口部は開閉具を備え、当該開閉具の開操作により背凭れ開口部を座開口部まで開くと、背凭れ被覆部を背凭れに、座被覆部を座の上面側及び底面側に被せることができ、前記開閉具を閉操作して背凭れ開口部を閉じると、背凭れ被覆部が前記背凭れに、座被覆部が前記座に取り付けられることを特徴とする椅子カバー。
【請求項２】
請求項１記載の椅子カバーにおいて、背凭れ被覆部のうち、背凭れ開口部の上方に、開閉できない閉塞部を備えたことを特徴とする椅子カバー。
【請求項３】
請求項１又は請求項２記載の椅子カバーにおいて、背凭れ被覆部又は／及び座被覆部が伸縮可能であることを特徴とする椅子カバー。
【請求項４】
請求項１乃至請求項３のいずれか１項に記載の椅子カバーにおいて、背凭れ被覆部の前面側と座被覆部の上面側が一連であり、背凭れ被覆部の背面側と座被覆部の底面側が一連であり、前記一連の前面側及び上面側と一連の背面側及び底面側の幅方向両端部が連結されて、座開口部が開口された袋状であることを備えたことを特徴とする椅子カバー。
【請求項５】
請求項１乃至請求項４のいずれか１項に記載の椅子カバーにおいて、座開口部の径が座の底面外径よりも小さく形成されて、座開口部の外周部が座の底面外周部に係止できるようにしたことを特徴とする椅子カバー。
【考案の詳細な説明】
【技術分野】
【０００１】
本考案は椅子カバー、特に、パチンコ、スロットマシン等の遊技具が設置された遊技場の椅子に被せるのに適する椅子カバーに関する。
【背景技術】
【０００２】
パチンコ店やゲームセンターといった遊技場には、遊技者が座るための椅子が設置固定されている。遊技場の椅子は、たばこの焼け跡、ガムの付着、経年変化による汚れ等のため見栄えが悪くなることがある。これら椅子は交換すると工事が大変であり、費用も掛かるため椅子のシートを張り替えている。しかし、シートの張り替えにも手間と費用がかかるため、近年は、椅子本体に被せることができる椅子カバー（シートカバー）が提案されている（特許文献１〜４）。
【先行技術文献】
【特許文献】
【０００３】
【特許文献１】特開平１０−１１７８８４号公報
【特許文献２】特開２００５−６６１５１号公報
【特許文献３】特開２００６−１３６５９３号公報
【特許文献４】実用新案登録第３０６９６３３号公報
【考案の概要】
【考案が解決しようとする課題】
【０００４】
前記特許文献１〜４記載のシートカバーは、いずれも座又は背凭れに別々に被せるものであり、座と背凭れの双方に被せるものではないため、座用と背凭れ用のカバーを別々に交換しなければならず、交換作業に手間がかかる。
【０００５】
本考案の目的は、椅子の背凭れから座まで連続して被せることができ、被せ易く、作業性が良く、デザインも良く、見栄えのする椅子カバーを提供することにある。
【課題を解決するための手段】
【０００６】
本考案の椅子カバーは、椅子に被せることのできるカバーであって、椅子の背凭れに背凭れを包むように被せることのできる背凭れ被覆部と、椅子の座の上面側及び底面側に被せることのできる座被覆部を備え、前記背凭れ被覆部と座被覆部は背凭れ被覆部が上、座被覆部が下になって一連に形成され、前記座被覆部の底面に椅子の座の下部が突出する座開口部を備え、前記背凭れ被覆部の背面に横方向に開閉可能な背もたれ開口部が縦方向に形成され、背もたれ開口部は前記背面の上部から前記座開口部まで連通して縦方向に開口し、当該背凭れ開口部は開閉具を備え、当該開閉具の開操作により背凭れ開口部を座開口部まで開くと、背凭れ被覆部を背凭れに、座被覆部を座の上面側及び底面側に被せることができ、前記開閉具を閉操作して背凭れ開口部を閉じると、背凭れ被覆部が前記背凭れに、座被覆部が前記座に取り付けられることを特徴とする椅子カバーである。
【０００７】
本考案の椅子カバーは、前記椅子カバーにおいて、背凭れ被覆部のうち、背凭れ開口部の上方に、開閉できない閉塞部を備えたものとすることができる。
【０００８】
本考案の椅子カバーは、前記いずれかの椅子カバーにおいて、背凭れ被覆部又は／及び座被覆部を椅子の形状に合わせて伸縮可能とすることができる。
【０００９】
本考案の椅子カバーは、前記いずれかの椅子カバーにおいて、背凭れ被覆部の前面側と座被覆部の上面側が一連であり、背凭れ被覆部の背面側と座被覆部の底面側が一連であり、前記一連の前面側及び上面側と一連の背面側及び外周面側の幅方向両端部が連結されて、座開口部が開口された袋状とすることができる。
【００１０】
本考案の椅子カバーは、前記椅子カバーにおいて、座開口部の径が座の底面外径よりも小さく形成されて、座開口部の外周部が座の底面外周部に係止できるようにすることもできる。
【考案の効果】
【００１１】
（１）開口部に開閉具があるため、開閉具を開いて開口部を開けば、椅子に被せ易くなり、被せ作業が容易になる。また、開閉具を閉じて開口部を閉めれば椅子から外れたり位置ずれしたりし難くなる。
（２）背凭れ被覆部と座被覆部が一連であり、座被覆部の下に座開口部を備え、背凭れ被覆部の背面に形成された背凭れ開口部が座開口部に連通しているため、背凭れ開口部を開けば、背凭れの上方から背凭れに背凭れ被覆部を被せ、座被覆部を座に被せることができるので、背凭れから座までを一度にカバーでき、作業性が良い。
（３）シートの張り替えが不要になるので、張り替えに比してコストが低減する。
（４）既存の椅子を継続使用できるため椅子を有効利用でき、経済的である。
（５）背凭れ被覆部の背凭れ開口部の上部に、開閉できない閉塞部を設けた場合、背もたれ被覆部が型崩れしにくく、カバーを掛け易く、掛ければ外れにくくなる。
（６）背凭れ被覆部又は／及び座面被覆部を椅子の形状に合わせて伸縮できるようにした場合は、椅子カバーが椅子にフィットするため、カバーの位置ずれによる着座時の不快感がなく、不用意に脱落することもない。
（７）背凭れ被覆部の前面側と座被覆部の上面側が一連であり、背凭れ被覆部の背面側と座被覆部の底面側が一連であり、前記一連の前面側及び上面側と一連の背面側及び底面側の幅方向両端部が連結されて、座開口部が開口された袋状とした場合、背凭れから座まで連続してスムースに被せ易くなり、背凭れ面にも着座面にも連結部（継ぎ目）がないため着座時に違和感がなく、座り心地が良い。
（８）座開口部の径が座の底面外径よりも小さく形成されて、座開口部の外周部が座の底面外周部に係止できるようにした場合は、座被覆部が座の底面外周部に確実に係止し、位置ずれしにくく、座から不用意に外れ難くなる。
【図面の簡単な説明】
【００１２】
【図１】本考案の椅子カバーを椅子に被せた状態を示す斜視図。
【図２】遊技場用椅子に本考案の椅子カバーを被せる場合の一例を示す斜視図。
【図３】本考案の椅子カバーの背凭れ被覆部の背面を開いた状態の一例を示す背面図。
【図４】（ａ）は図３のＡ−Ａ断面図、（ｂ）は図３のＢ−Ｂ断面図。
【考案を実施するための形態】
【００１３】
（実施形態）
本考案の椅子カバーの実施形態の一例を図１〜図４に基づいて説明する。この実施形態では、遊技場に設置される遊技場用の固定式椅子（以下、単に「椅子」という）Ｃに被せるカバーを一例として説明する。
【００１４】
［全体構造］
図１に示す椅子カバー１は、椅子Ｃの背凭れＤに被せる背凭れ被覆部２と、座Ｅに被せる座被覆部３を備え、それら背凭れ被覆部２と座被覆部３が図３に示すように一連に形成されたものである。背凭れ被覆部２と座被覆部３は椅子Ｃに被せる（収める）ことのできる広さの収容空間４（図２）を備えるとともに、背凭れ被覆部２の背面に収容空間４と連通する開口部５（背凭れ開口部５ａ）を縦方向に設けて、背面を背凭れ開口部５ａから左右（横方向）に開閉自在としてあり、背凭れ開口部５ａを開くと図２のように椅子Ｃの背凭れＤの上方から背凭れＤと座Ｅの双方を一度に被覆できるようにしてある。
【００１５】
［背凭れ被覆部］
背凭れ被覆部２は、図４（ａ）に示すように、椅子Ｃの背凭れＤの前面側を被覆する前面被覆部２ａと背面側を被覆する背面被覆部２ｂを備えている。図４（ａ）に示す例では、背面被覆部２ｂの形状を背面側に膨らみをもたせて湾曲させてあり、前面被覆部２ａと背面被覆部２ｂとの間に、椅子Ｃの背凭れＤが収まる広さの背もたれ収容空間４ａを形成してある。
【００１６】
背面被覆部２ｂには、幅方向中央部に縦向きにスリット状の背凭れ開口部５ａが設けられ、その背凭れ開口部５ａから椅子Ｃの背凭れＤに背凭れ被覆部２を被せられるようにしてある。背凭れ開口部５ａの上側には開口していない閉塞部７（図１〜３）が設けられている。背面被覆部２ｂに閉塞部７を設けることによって、背面被覆部２ｂの形状を維持して型崩れを防止することができる。
【００１７】
背面被覆部２ｂの背凭れ開口部５ａの周縁にはジッパー（開閉具６）が設けられ、それを開閉操作することにより背凭れ開口部５ａを開閉できるようにしてある。開閉具６はジッパー以外であってもよく、例えば面状ファスナーやホックなどを用いることができる。
【００１８】
背凭れ被覆部２は椅子Ｃの背凭れＤの形状に合わせて伸縮できるようにすると背凭れＤへの脱着が容易になり、装着時には背凭れＤにフィットし易くなる。背凭れ被覆部２は、その前面被覆部２ａだけを椅子Ｃの背凭れＤの形状に合わせて伸縮できるようしいてもよく、その場合は前面被覆部２ａを伸縮性のある材質製とするとか、伸縮性のあるメッシュを使用する等することができる。背面被覆部２ｂは伸縮性に乏しい或いは伸縮性の無い材質製でも伸縮性の有る材質製でもよいが、前面被覆部２ａが伸縮性ある場合は、伸縮性が無い方が背凭れ被覆部２の型崩れ防止の面から好ましく、例えば人工皮革（レザー）や布等を使用することができる。前面被覆部２ａ、背面被覆部２ｂはこれら以外の材質製とすることもできるが、いずれの場合も、椅子Ｃの背もたれＤの形状に合わせて伸縮可能とするのが望ましい。伸縮可能とすることで、背凭れＤと椅子カバー１とが密着して両者間に隙間が生じにくくなり、椅子カバー１が椅子から不用意に外れるのを防止することができる。また、椅子カバー１の位置ずれによる着座時の不快感もない。
【００１９】
［座被覆部］
前記座被覆部３は、図４（ｂ）に示すように、椅子Ｃの座Ｅの上面側を被覆する上面被覆部３ａと外周面及び底面側を被覆する底面被覆部３ｂを備えている。上面被覆部３ａは座Ｅの上面全体を被覆できるサイズ及び形状であり、その下側周縁に座Ｅの外周部と底面の周縁部を被覆する底面被覆部３ｂが設けられている。上面被覆部３ａと底面被覆部３ｂの内側には、座Ｅが収まるサイズの座収容空間４ｂが設けられている。図３に示すように底面被覆部３ｂの内側には座開口部５ｂが開口され、その座開口部５ｂから座被覆部３を椅子Ｃの座Ｅに被せられるようにしてあり、被せたときに、図１のように、その座開口部５ｂから椅子Ｃの固定脚Ｆが突出するようにしてある。
【００２０】
上面被覆部３ａは、椅子Ｃの座Ｅの上面側の形状に合わせて伸縮可能とするのが好ましく、図示する例ではメッシュ材製としてある。底面被覆部３ｂはレザー製としてあるが、座Ｅの外周面及び底面側（周縁部分）の形状に合わせて伸縮可能とすることもできる。上面被覆部３ａと底面被覆部３ｂはこれら以外の材質製とすることもできるが、いずれの場合も座Ｅの形状に合わせて伸縮可能とするのが望ましい。伸縮可能とすることで、座Ｅと椅子カバー１とが密着して両者間に隙間が生じにくくなり、椅子カバー１が不用意に外れ難くなる。また、椅子カバー１がずれることによる着座時の不快感も回避することができる。
【００２１】
本考案の椅子カバー１は、全面メッシュ材とすることも、全面レザーとすることも、それら以外の材質製、例えば、合成皮革や綿、キルト材とすることもでき、それら材質の組み合わせは自由である。また、前面側と背面画を同じ材質製とすることもできる。サイズも被せる椅子のサイズに合わせて設計する。背凭れ被覆部２の前面側と座被覆部の上面側にメッシュ材を用いた場合、通気性が良く、長時間座っても蒸れにくくなる。
【００２２】
本考案の椅子カバー１は単色のものとすることも、複数の色を組み合わせたものとすることもできる。例えば、被覆部の前面及び上面側と被覆部の背面及び底面側とを色わけする等して、見栄えを良くすることができる。いずれの場合も赤や黄色、白など様々な色彩のもの（或いは様々な色彩を組み合わせたもの）を用意しておくことができる。例えば、前面被覆部及び上面被覆部を黒、背面被覆部及び底面被覆部を赤等のように組み合わせることができる。場合によっては、文字、図形、記号等の模様付きのカバーとすることもできる。色を変えることにより、遊技場に設置されている多数の列の椅子に被せる色を変えて、機種別、貸し玉率別、フロアー別といったように色分けすることもできる。
【００２３】
（使用例）
本考案の椅子カバーの使用例を、図２を参照して説明する。この使用例は、遊技場の椅子Ｃに被せる場合の例である。
（１）背凭れ被覆部２に設けられている開閉具６を図２及び図３のように上方まで上げて背凭れ開口部５ａを開いて、背凭れ被覆部２の背面を座開口部５ｂまで連通開口させる。
（２）前記のように開いた背凭れ被覆部２を、椅子Ｃの背もたれＤの上方から被せて下（図２の矢印Ｘ方向）に引っ張り、背凭れ被覆部２で椅子Ｃの背凭れＤ全体を被覆する。
（３）座被覆部３の底面被覆部３ｂを座Ｅの手前に引いて座開口部５ｂを拡げて、座被覆部３を椅子Ｃの座Ｅに被せ、座被覆部３で座Ｅ全体を被覆する。
（４）開閉具６を下方に下げて背凭れ開口部５ａを閉じて、背もたれ被覆部２、座被覆部３を背凭れＤ、座Ｅにフィットさせてそれらから不用意に外れないようにする。
【００２４】
本考案の椅子カバー１を椅子Ｃから取り外すには、例えば次のようにする。
（１）背凭れ被覆部２に設けられている開閉具６を図２及び図３のように上方まで上げて背凭れ開口部５ａを開いて、背凭れ被覆部２の背面を座開口部５ｂまで連通開口させる。
（２）前記状態で、座被覆部３の底面被覆部３ｂを座Ｅの手前側に引いて、座開口部５ｂを拡げて、座被覆部３を椅子Ｃの座Ｅから外す。
（３）背凭れ被覆部２を上方に引き上げて、背凭れ被覆部２を背凭れＤから外す。
【００２５】
前記使用例はあくまでも一例であり、被せるとき、取り外すときの手順は、前記手順以外の手順とすることもできる。
【産業上の利用可能性】
【００２６】
本考案の椅子カバー１は遊技場用の椅子に使用するカバーとして好適なものであるが、飲食店や公共施設などに設けられている各種椅子のカバーとしても用いることができる。
【符号の説明】
【００２７】
１    椅子カバー
２    背凭れ被覆部
２ａ  （背凭れ被覆部の）前面被覆部
２ｂ  （背凭れ被覆部の）背面被覆部
３    座被覆部
３ａ  （座被覆部の）上面被覆部
３ｂ  （座被覆部の）底面被覆部
４    収容空間
４ａ  背凭れ収容空間
４ｂ  座収容空間
５    開口部
５ａ  背凭れ開口部
５ｂ  座開口部
６    開閉具（ジッパー）
７    閉塞部
Ｃ    椅子
Ｄ    背凭れ
Ｅ    座
Ｆ    固定脚
【図１】
0003177626.tif 000003
【図２】
0003177626.tif 000004
【図３】
0003177626.tif 000005
【図４】
0003177626.tif 000006